(57)【要約】【課題】浴室などのサウナ室を絶えず清潔で乾燥状態に保つことができるとともに、カビの発生を防止できるミストサウナ装置を提供することを目的としている。【解決手段】制御装置１２は、サウナ運転もしくは暖房運転後に、温水弁７を所定時間駆動してミストノズル６から温水を噴射し、次いで冷水弁８を所定時間駆動してミストノズル６から冷水を噴射し、続いて循環ファン３および換気ファン１１を駆動してサウナ室内を洗浄、乾燥することにより浴室などのサウナ室を絶えず清潔で乾燥状態に保つことができるとともに、カビの発生を防止できるミストサウナ装置を提供できる。【選択図】図１
2008086619.tif 000002
【特許請求の範囲】
【請求項１】
浴室内の空気を循環するための循環風路内に設けた循環ファンおよび加熱手段と、室内の空気を排気する換気ファンと、温水および冷水を噴射するミスト噴射手段および前記循環ファン、加熱手段、換気ファン、噴射手段を組み合わせて駆動し、乾燥運転または／および暖房運転または／および換気運転または／およびサウナ運転を行う制御手段とを備えたサウナ装置において、前記制御手段は、サウナ運転終了後もしくは暖房運転終了後に前記ミスト噴射手段を駆動して温水を所定時間噴射し、次いで冷水を所定時間噴射する動作を行うことを特徴とするミストサウナ装置。
【請求項２】
浴室内の空気を循環するための循環風路内に設けた循環ファンおよび加熱手段と、室内の空気を排気する換気ファンと、温水を噴射するミスト噴射手段および前記循環ファン、加熱手段、換気ファン、噴射手段を組み合わせて駆動し、乾燥運転または／および暖房運転または／および換気運転または／およびサウナ運転を行う制御手段とを備えたサウナ装置において、前記ミスト噴射手段とは別にシャワー状の水滴を噴射するシャワー噴射手段を設け、前記制御手段は、サウナ運転終了後もしくは暖房運転終了後に前記シャワー噴射手段を駆動して温水を所定時間噴射し、次いで冷水を所定時間噴射する動作を行うことを特徴とするミストサウナ装置。
【請求項３】
前記制御手段は、前記ミスト噴射手段もしくはシャワー噴射手段を駆動して温水を所定時間噴射した後もしくは冷水を噴射した後に、換気ファンを運転するようにした請求項１もしくは請求項２記載のミストサウナ装置。
【請求項４】
前記制御手段は、前記ミスト噴射手段もしくはシャワー噴射手段を駆動して温水を所定時間噴射した後もしくは冷水を噴射した後に、循環ファンを所定時間運転するようにした請求項１または２記載のミストサウナ装置。
【請求項５】
前記制御手段は、使用者が操作できる操作スイッチを備え、前記操作スイッチが操作されたときに請求項１記載のミスト噴射の動作もしくは請求項２記載のシャワー噴射の動作を行うようにした請求項１または２記載のミストサウナ装置。
【請求項６】
請求項２記載のシャワー噴射手段は、水滴を下方向に向けて断面ドーナツ状に放射することを特徴とする請求項２記載のミストサウナ装置。
【請求項７】
ミスト噴射手段の噴射は、断続的に行われるようにした請求項１記載のミストサウナ装置。
【請求項８】
シャワー噴射手段の噴射は、断続的に行われるようにした請求項２記載のミストサウナ装置。
【発明の詳細な説明】
【技術分野】
【０００１】
本発明は、浴室内を自動的に清潔にすることができるとともに、浴室内でのカビの発生を防止するようにしたミストサウナ装置に関する。
【背景技術】
【０００２】
近年、浴室の天井に取り付けて、浴室内の暖房や換気を行うとともに、浴室内に吊した洗濯後の衣類を乾燥できる浴室暖房乾燥装置が普及してきている。さらにはこれらの機能に付加してミスト発生装置を設け、浴室内をサウナ室として利用できる、いわゆるミストサウナ装置も現れている。
【０００３】
これら、浴室暖房乾燥装置やミストサウナ装置を自動的に運転する方法についても、例えば特許文献１に示すようなものが提案されている。
【０００４】
特許文献１に示すものは、入浴前の暖房から入浴後の浴室乾燥までを自動運転により行うもので、浴室の照明スイッチの点灯により入浴前の予備暖房を行い、人感センサにより浴室での人の存在を検知して本格暖房に切り替え、浴室の照明消灯により浴室の乾燥を実施することが紹介されており、これにより、スイッチやボタン操作が不要か極力少なくできて、煩わしさを解消できるとしている。
【特許文献１】特開２００６−２９７５２号公報
【発明の開示】
【発明が解決しようとする課題】
【０００５】
しかしながら、上記のように自動運転することについては、次のような課題があった。
【０００６】
すなわち、入浴によって浴室内で飛散した洗剤や垢が浴室の壁面に付着し、この状態で浴室内を乾燥すると付着した洗剤や垢が壁面に固着し、不衛生である上に美観もわるく、掃除もしにくい状況になることである。
【課題を解決するための手段】
【０００７】
本発明のミストサウナ装置は上記目的を達成するために、ミスト噴射手段もしくはミスト噴射手段とは別途に設けたシャワー噴射手段およびこれらを制御する制御装置を用いて、暖房運転もしくはサウナ運転の終了後に、まず温水を噴射してサウナ室の壁面と床面を洗浄し、続いて冷水を噴射して壁面と床面を冷却し、引き続いて循環ファンと換気ファンを駆動し浴室内を乾燥する自動運転により浴室内を清潔にするようにしたものである。
【発明の効果】
【０００８】
本発明によれば簡単な構成でサウナ室内を清潔で乾燥した状態に保つことができるとともに、カビの発生を防止できるミストサウナ装置を提供できる。
【発明を実施するための最良の形態】
【０００９】
本発明の請求項１記載の発明のミストサウナ装置は、浴室内の空気を循環するための循環風路内に設けた循環ファンおよび加熱手段と、室内の空気を排気する換気ファンと、温水および冷水を噴射するミスト噴射手段および前記の循環ファン、加熱手段、換気ファン、噴射手段を組み合わせて駆動し、暖房運転または／および乾燥運転または／および涼風運転または／および換気運転または／およびサウナ運転を行う制御手段とを備えたサウナ装置において、制御手段は、サウナ運転終了後もしくは暖房運転終了後にミスト噴射手段を駆動して温水を所定時間噴射し、次いで冷水を所定時間噴射する動作を行うことを特徴とする。
【００１０】
このことにより、浴室の壁面や床面が洗浄され浴室内が清潔に保たれるとともに、温度が低位に保たれるのでカビの発生を防止できる。
【００１１】
本発明の請求項２記載の発明のミストサウナ装置は、浴室内の空気を循環するための循環風路内に設けた循環ファンおよび加熱手段と、室内の空気を排気する換気ファンと、温水を噴射するミスト噴射手段および前記の循環ファン、加熱手段、換気ファン、噴射手段を組み合わせて駆動し、暖房運転または／および乾燥運転または／および涼風運転または／および換気運転または／およびサウナ運転を行う制御手段とを備えたサウナ装置において、ミスト噴射手段とは別にシャワー状の水滴を噴射するシャワー噴射手段を設け、制御手段は、サウナ運転終了後もしくは暖房運転終了後に前記シャワー噴射手段を駆動して温水を所定時間噴射し、次いで冷水を所定時間噴射する動作を行うことを特徴とする。
【００１２】
このことにより、より高い洗浄効果が得られるので、所室内が清潔に保たれると共にカビの発生を防止できる。
【００１３】
本発明の請求項３記載の発明のミストサウナ装置は、請求項１もしくは請求項２記載のミストサウナ装置において、制御手段は、ミスト噴射手段もしくはシャワー噴射手段を駆動して温水を所定時間噴射した後もしくは冷水を噴射した後に、換気ファンを運転するようにしたことを特徴とする。
【００１４】
このことにより、浴室の壁面や床面の乾燥が促進される。
【００１５】
本発明の請求項４記載の発明のミストサウナ装置は、請求項１もしくは請求項２記載のミストサウナ装置において、制御手段は、ミスト噴射手段もしくはシャワー噴射手段を駆動して温水を所定時間噴射した後もしくは冷水を噴射した後に、循環ファンを所定時間運転するようにしたことを特徴とする。
【００１６】
このことにより、浴室内の空気が攪拌され乾燥が促進する。
【００１７】
本発明の請求項５記載の発明のミストサウナ装置は、請求項１もしくは請求項２記載のミストサウナ装置において、制御手段は、使用者が操作できる操作スイッチを備え、操作スイッチが操作されたときにミスト噴射の動作もしくはシャワー噴射の動作を行うようにしたことを特徴とする。
【００１８】
このことにより、使用者が必要なときに浴室内を洗浄できる。
【００１９】
本発明の請求項６記載の発明のミストサウナ装置は、請求項２記載のミストサウナ装置において、シャワー噴射手段は、水滴を下方向に向けて断面ドーナツ状に放射することを特徴とすることを特徴とする。
【００２０】
このことにより、少量の水で浴室内を洗浄できる。
【００２１】
本発明の請求項７記載の発明のミストサウナ装置は、請求項１記載のミストサウナ装置において、ミスト噴射手段の噴射は、断続的に行われるようにしたことを特徴とする。
【００２２】
このことにより、より効果的な洗浄効果が得られる。
【００２３】
本発明の請求項８記載の発明のミストサウナ装置は、請求項２記載のミストサウナ装置において、シャワー噴射手段の噴射は、断続的に行われるようにしたことを特徴とする。
【００２４】
このことにより、より効果的な洗浄効果が得られる。
【００２５】
以下、本発明の実施の形態について図面を参照しながら説明する。
【００２６】
（実施の形態１）
図１は本実施の形態のミストサウナ装置の全体構成を示す図である。
【００２７】
図は、ミストサウナ装置を浴室などのサウナ空間の天井に取り付けた状態の側面から見た一部断面の図で、図の下方が浴室などのサウナ空間である。
【００２８】
天井１に取り付けられたケーシング２の内部を仕切板２ａで２分した一方の空間に循環ファン３を設け、この循環ファン３の駆動により下方のサウナ空間内の空気を矢示Ａのように循環するための循環風路４内にヒータなどの加熱手段５とミストノズル６が設けられている。
【００２９】
ミストノズル６は、温水弁７と冷水弁８を介して、それぞれ温水管９と冷水管１０とに接続されている。温水管９は外部の給湯器（図示せず）などに接続され、冷水管１０は水道の配管（図示せず）に連結されている。
【００３０】
仕切板２ａにより２分されたケーシング２内の他方の空間内には、換気ファン１１が設けられており、この換気ファン１１の駆動により、矢示Ｂのような排気流が発生し、サウナ室内の空気は排気ダクト（図示せず）を通じて屋外に排出される。
【００３１】
制御装置１２は、ケーシング２内もしくは外部の冷所に取り付けられている。
【００３２】
吸込温度センサ１３は、加熱手段５の駆動を制御するための目的で循環風路４の入り口付近に置かれ、制御装置１２に接続されている。
【００３３】
図２は、電気系の構成を示すブロック図である。
【００３４】
制御装置１２は、マイコン（マイクロコンピュータ）などのＣＰＵ１４を中心に構成されている。
【００３５】
ＣＰＵ１４の入力としては、吸込温度センサ１３と設定操作部１５が接続されている。
【００３６】
この設定操作部１５は、一般的なこの種のサウナ装置では、後述する運転モードを選択するためのスイッチや、タイマー運転のためのタイマー時限の設定スイッチ、運転のスタートやストップのスイッチなどある。
【００３７】
さらにＣＰＵ１４の入力として洗浄スイッチ１６が接続されており、この説明は後述する。
【００３８】
ＣＰＵ１４の出力として継電器１７、１８、１９、２０、２１が接続されて、これらにより制御装置１２が構成されている。
【００３９】
継電器１７〜２１にはそれぞれ、図１で説明した循環ファン３、加熱手段５、換気ファン１１、温水弁７および冷水弁８が接続されている。
【００４０】
次に、図１と図２を参照しながら、図３を用いて、この種のサウナ装置の一般的な運転モードについて説明する。
【００４１】
図３は、運転モードと電気な構成要素の動作を示す図で、○印がその構成要素が駆動（作動）することを示している。
【００４２】
暖房運転は、冬期に浴室を温暖な温度にするための運転であり、循環ファン３と加熱手段５を駆動させて、浴室内の空気を加熱しながら循環させて浴室内の温度を適温にする。
【００４３】
乾燥運転は、前記暖房運転に加えて換気ファン１１を駆動して、浴室内に吊した衣類を加熱するとともに、衣類から蒸発した湿気を屋外に排出して衣類を乾燥する。
【００４４】
涼風運転は、主として夏期に用い、循環ファン３と換気ファン１１を駆動して、浴室内に風の流れを生成して入浴者に涼風感を与える。
【００４５】
換気運転は、四季を通して用い、換気ファン１１のみを駆動して浴室内の空気を排出する。新しい空気は浴室のドアに設けたガラリから供給される。
【００４６】
サウナ運転は、浴室内を発汗に適した湿度、温度に制御されたサウナ空間にするための運転であり、温水弁７を駆動することによりミストノズル６から温水のミストが噴射され、浴室内の空気を加湿し、さらに循環ファン３と加熱手段５を駆動させて、浴室内の空気を加熱しながら循環させることで浴室内の湿度、温度を適切な状態に維持する。
【００４７】
次に本実施の形態の動作を図１〜３を参照しながら図４を用いて説明する。
【００４８】
図４は、本実施の形態の制御装置の動作を説明するためのフローチャートである。
【００４９】
制御装置１２は、Ｓ（ステップ）１において、洗浄スイッチ１６が押されているかをチェックし、続いてＳ２で暖房運転が終了したかどうかをチェックする。この暖房運転の終了の判定は、タイマー運転の場合はタイマー時限の終了もしくは、使用者が暖房停止のスイッチを操作した場合である。これは入浴が終了したことに相当する。
【００５０】
次にこのＳ２と同様の判定基準によりＳ３において、サウナ運転が終了したかをチェックする。
【００５１】
以上のＳ１からＳ３のいずれかがＹＥＳであれば、つぎにＳ４において、温水弁７を断続的に駆動する。これによりミストノズル６から温水のミストが噴射され、このミストが浴室の壁面に衝突して壁面に付着した洗剤や垢を洗い落とす。温水弁７を断続的に駆動する（例えば２秒ごとの断続）ために、ミストの衝突に強弱が生じ洗浄効果が高められる。
【００５２】
以上の温水ミストの噴射は所定時間（例えば３分間）継続され（Ｓ５）、次のＳ６において、温水弁７を閉じて冷水弁８を駆動する。その結果、ミストノズル６からは冷水のミストが噴射され、このミストが壁面に衝突して壁面を冷却する。なお、この冷水ミストの噴射中にも壁面の洗浄は進行する。この冷水ミストの噴射は所定時間（例えば３分間）継続され（Ｓ７）、つぎのＳ８において、冷水弁８を閉じて、循環ファン３を駆動し、続いてＳ９で換気ファン１１を駆動する。
【００５３】
これにより浴室内には空気の流れが生じ、壁面の水分を蒸発させて加湿された浴室内の空気は屋外に排出され、浴室内の乾燥が進行する。
【００５４】
この動作は所定時間（例えば２０分間）継続し（Ｓ１０）、次のＳ１１で循環ファン３を停止し、次のＳ１２で換気ファン１１の運転を継続するがどうかをチェックする。
【００５５】
この換気ファン１１の動作を継続するかどうかは、使用者が２４時間換気のスイッチを入れているかどうかで判断し、２４時間換気に設定されていれば、そのまま運転を継続し、ＮＯであれば、換気ファン１１は停止して一連の動作は終了する。
【００５６】
以上の制御装置１２の動作は、ＣＰＵ１４内のＲＡＭ、ＲＯＭ、カウンターなどが共働するＣＰＵのプログラムの形態で実施される。
【００５７】
以上説明したように、本実施の形態のミストサウナ装置は、暖房運転もしくはサウナ運転の終了後に、ミスト噴射手段（ミストノズル６）により温水ミストを噴射し、続いて冷水ミストを噴射することにより、入浴やサウナの使用で汚染された浴室の壁面を洗浄し浴室内を清潔に保つものである。また、冷水の噴射で壁面は急速に冷却されるので、タイルの目地などでのカビの発生も防止できる。
【００５８】
また、引き続き換気ファンを運転するようにしたので、浴室内を乾燥させることができるとともにカビの発生防止にも効果がある。
【００５９】
また、換気ファンに加えて循環ファンも所定時間駆動するようにしたので、浴室内の空気が攪拌され乾燥が効率的に行われる。
【００６０】
また、使用者が操作できる操作スイッチ（洗浄スイッチ１６）を設けて、使用者が随時に浴室内を洗浄できるようにしたので、暖房やサウナ運転をしない通常の入浴（例えば春秋の）で汚染された浴室内が洗浄できる。
【００６１】
また、ミストの噴射を断続的に行うようにしたので壁面の洗浄効果が向上し、時間短縮と、節水がはかれる。
【００６２】
なお、図１の全体構成の説明において、循環ファンと換気ファンとを有する構成で説明したが、循環ファンだけを用いて、排気用ダンパーにより排気風路を構成するようにしたミストサウナ装置であってもよく、この場合は、図４での換気ファンの駆動の説明が排気用のダンパー駆動となる。
【００６３】
また、図４の動作の説明において、循環ファンと換気ファンの駆動（Ｓ８、Ｓ９）を冷水弁の停止後に行っているが、これは、冷水弁の駆動（Ｓ６）と同時に実施してもよい。
【００６４】
また、図４でのＳ６において、冷水弁は連続的に冷水ミストの噴射を行うようにしているが、Ｓ４と同様に断続的に噴射させてもかまわない。
【００６５】
また、図４でのＳ２とＳ３において、タイマー時限の終了もしくは使用者のスイッチ操作に基づいてＳ４に移行するようにしているが、図２に記載しているような浴室内の人を検知する人感センサを設けて、暖房運転中もしくはサウナ運転中に浴室内に人が検知されなくなったときは、Ｓ４以降のステップの浴室洗浄動作を行うようにしてもかまわない。
【００６６】
（実施の形態２）
本実施の形態は、実施の形態１で説明した浴室の洗浄動作をミストサウナ装置が保有するミストノズルとは別に設けたシャワーノズル（シャワー噴射手段）により行うようにしたものであり、他の構成は図１に同じなので、このシャワーノズルに関わる部分についてのみ説明する。
【００６７】
図５の全体構成を示す図において、シャワーノズル２２は温水管９から温水弁２３を経て温水の供給を受け、かつ、冷水管１０から冷水弁２４を経て冷水の供給を受ける構造である。
【００６８】
図６はシャワーノズル２２の構成を示す拡大図である。
【００６９】
図（ａ）は側断面図、図（ｂ）は図（ａ）を下方から見た平面図である。
【００７０】
図（ａ）において、温水もしくは冷水は上方から供給され、多数の孔２２ａから噴射方向２２ｂの方向に噴射される。
【００７１】
多数の孔２２ａは、図（ｂ）に示すように外縁部の円周上に設けられており、このためこの多数の孔２２ａからは、図（ａ）で立体角θ１から立体角θ２の範囲の水平断面が上から見てドーナツ状の噴射が行われる。
【００７２】
このような噴射ノズルによれば、サウナ装置のミストノズルから噴射するミストの大きさが１ミリメートル以下であるのに対して、噴射水滴の大きさを数ミリメートルに設定することができ、かつ噴射の勢いも大きくできるので壁面の洗浄効果が大きい。
【００７３】
また、洗浄効果に寄与しない直下方向の噴射が無く節水が計れる。
【産業上の利用可能性】
【００７４】
以上のように本発明のサウナ装置は、簡単な構成でサウナ室内を清潔で乾燥状態に保つことができる。またこのためにカビの発生を防止できるので、住居用のサウナ装置はもとより、業務用などの他用途のサウナ装置にも適用できる。
【図面の簡単な説明】
【００７５】
【図１】本発明の実施の形態１の全体構成を示す図
【図２】同電気系の構成を示すブロック図
【図３】ミストサウナ装置の一般的な運転モードを説明するための図
【図４】本発明の実施の形態１の動作を説明するためのフローチャート
【図５】本発明の実施の形態２の全体構成を示す図
【図６】同、シャワーノズルの構成例を示す図（（ａ）断面図、（ｂ）正面図）
【符号の説明】
【００７６】
３    循環ファン
５    加熱手段
６    ミストノズル
７    温水弁
８    冷水弁
９    温水管
１１  換気ファン
１２  制御装置
１６  洗浄スイッチ
２２  シャワーノズル
２３  温水弁
２４  冷水弁
【図１】
2008086619.tif 000003
【図２】
2008086619.tif 000004
【図３】
2008086619.tif 000005
【図４】
2008086619.tif 000006
【図５】
2008086619.tif 000007
【図６】
2008086619.tif 000008